(57)【要約】【課題】照明器具の全体を交換することなく、照明器具に目覚まし照明のための機能を持たせることができる電球、電球制御セット、および電球制御プログラムを提供する。【解決手段】電球４が受信する無線情報は、所定時刻の情報を含んでいる。電球４の発光制御部４５ｂは、タイマ４５ｃが計時している時刻が所定時刻に関連付けられた所定期間内の時刻であるときに、予め定められた発光態様で発光部４４が発光するように、駆動部４５ｄに発光部４４を駆動させる。【選択図】図３
2016100124.tif 000002
【特許請求の範囲】
【請求項１】
取り外し可能な状態で照明器具本体に対して取り付けられる口金部と、
前記照明器具本体から前記口金部を経由して供給される電力を利用して発光し、発光態様が変更される発光部と、
前記発光部の前記発光態様を制御するための無線情報を受信するアンテナ部と、
前記無線情報に基づいて前記発光部の前記発光態様を制御する制御部と、を備え、
前記無線情報は、所定時刻の情報を含み、
前記制御部は、
前記アンテナ部で受信された前記無線情報から前記所定時刻の情報を抽出する無線情報受信部と、
前記発光部を予め定められた発光態様で発光させるための発光制御情報を記憶する記憶部と、
時刻を計時するタイマと、
前記発光部を駆動する駆動部と、
前記記憶部に記憶された前記発光制御情報に基づいて、前記予め定められた発光態様で前記発光部が発光するように、前記駆動部に前記発光部を駆動させる発光制御部と、を含み、
前記発光制御部は、前記タイマが計時している時刻が前記所定時刻に関連付けられた所定期間内の時刻であるときに、前記予め定められた発光態様で前記発光部が発光するように、前記駆動部に前記発光部を駆動させる、電球。
【請求項２】
取り外し可能な状態で照明器具本体に対して取り付けられる口金部と、
前記照明器具本体から前記口金部を経由して供給される電力を利用して発光し、発光態様が変更される発光部と、
前記発光部の前記発光態様を制御するための無線情報を受信するアンテナ部と、
前記無線情報に基づいて前記発光部の前記発光態様を制御する制御部と、を備え、
前記無線情報は、所定時刻の情報および前記発光部を予め定められた発光態様で発光させることを指示する発光態様指示情報を含み、
前記制御部は、
前記アンテナ部で受信された前記無線情報から前記所定時刻の情報および前記発光態様指示情報を抽出する無線情報受信部と、
時刻を計時するタイマと、
前記発光部を駆動する駆動部と、
前記無線情報受信部によって抽出された前記発光態様指示情報に基づいて、前記駆動部に前記発光部を駆動させる発光制御部と、を含み、
前記発光制御部は、前記タイマが計時している時刻が前記所定時刻に関連付けられた所定期間内の時刻であるときに、前記予め定められた発光態様で前記発光部が発光するように、前記駆動部に前記発光部を駆動させる、電球。
【請求項３】
前記予め定められた態様は、前記所定期間において、前記発光部の明るさと前記発光部の色とが予め定められた対応関係で変化する発光態様である、請求項１または２に記載の電球。
【請求項４】
前記予め定められた発光態様は、前記所定期間において、前記発光部が発する光の明るさが徐々に増加する発光態様である、請求項１〜３のいずれかに記載の電球。
【請求項５】
前記予め定められた発光態様は、前記所定期間において、前記発光部が発する光の色温度が徐々に高くなる発光態様である、請求項１〜４のいずれかに記載の電球。
【請求項６】
前記発光制御部は、
前記照明器具本体のＯＮ／ＯＦＦスイッチがＯＮ状態であることを検出している場合に、前記アンテナ部が前記無線情報を受信すると、前記無線情報に基づいて前記発光部の発光態様を制御し、
前記無線情報に基づいて前記発光部の発光態様を制御しているときに、前記照明器具本体のＯＮ／ＯＦＦスイッチが前記ＯＮ状態からＯＦＦ状態を経て前記ＯＮ状態へ戻されたことを検出した場合には、前記無線情報に基づく前記発光部の制御を実行することなく、前記発光部を一定の発光態様で発光させる、請求項１〜５のいずれかに記載の電球。
【請求項７】
請求項１〜６のいずれかに記載の電球と、
前記電球へ前記無線情報を送信する端末機と、を備えた、電球制御セット。
【請求項８】
使用者の操作によって情報を入力するための入力部と、
前記入力部の操作によって入力された前記情報が表示される表示部と、
前記情報を無線情報として送信するアンテナ部と、
アラーム音を発生させる音発生部と、を備えた端末機のコンピュータにおいて用いられる電球制御プログラムであって、
前記コンピュータを、
前記入力部の操作によって入力された所定時刻の情報を前記表示部に表示させる表示／入力制御部、
時刻を計時するタイマ、
前記タイマによって計時されている時刻が前記所定時刻になった場合に、前記表示／入力制御部によって制御されて、前記音発生部に前記アラーム音を発生させる駆動部、および
請求項１〜７のいずれかに記載の電球の前記無線情報受信部が前記無線情報から前記所定時刻の情報を抽出可能な態様で、前記所定時刻の情報を、前記アンテナ部から送信する無線情報送信部として機能させる、電球制御プログラム。
【請求項９】
使用者の操作によって情報を入力するための入力部と、
前記入力部の操作によって入力された前記情報が表示される表示部と、
前記情報を無線情報として送信するアンテナ部と、
を備えた端末機のコンピュータにおいて用いられる電球制御プログラムであって、
前記コンピュータを、
前記入力部の操作によって入力された所定時刻の情報を前記表示部に表示させる表示／入力制御部、および
請求項１〜７のいずれかに記載の電球の前記無線情報受信部が前記無線情報から前記所定時刻の情報を抽出可能な態様で、前記所定時刻の情報を、前記アンテナ部から送信する無線情報送信部として機能させる、電球制御プログラム。
【発明の詳細な説明】
【技術分野】
【０００１】
本発明は、取り外し可能な状態で照明器具本体に取り付けられる電球、それを用いた電球制御セット、およびそれに用いられる電球制御プログラムに関する。
【背景技術】
【０００２】
従来から、次の特許文献１に開示されているように、使用者の希望の起床時刻の前数分に点灯を開始するように予め設定することにより、目覚まし照明を実行する照明器具が知られている。
【先行技術文献】
【特許文献】
【０００３】
【特許文献１】特開２００８−８６４８９号公報
【発明の概要】
【発明が解決しようとする課題】
【０００４】
上記従来の特許文献１に開示された照明器具によれば、照明器具本体の使用を継続したい場合においても、照明器具の全体を交換しなければ、照明器具に目覚まし照明のための機能を持たせることはできない。
【０００５】
本発明は、上述の問題に鑑みてなされたものであり、その目的は、照明器具の全体を交換することなく、照明器具に目覚まし照明のための機能を持たせることができる電球、電球制御セット、および電球制御プログラムを提供することである。
【課題を解決するための手段】
【０００６】
本発明の第１の態様の電球は、取り外し可能な状態で照明器具本体に対して取り付けられる口金部と、前記照明器具本体から前記口金部を経由して供給される電力を利用して発光し、発光態様が変更される発光部と、前記発光部の前記発光態様を制御するための無線情報を受信するアンテナ部と、前記無線情報に基づいて前記発光部の前記発光態様を制御する制御部と、を備え、前記無線情報は、所定時刻の情報を含み、  前記制御部は、前記アンテナ部で受信された前記無線情報から前記所定時刻の情報を抽出する無線情報受信部と、前記発光部を予め定められた発光態様で発光させるための発光制御情報を記憶する記憶部と、時刻を計時するタイマと、前記発光部を駆動する駆動部と、前記記憶部に記憶された前記発光制御情報に基づいて、前記予め定められた発光態様で前記発光部が発光するように、前記駆動部に前記発光部を駆動させる発光制御部と、を含み、前記発光制御部は、前記タイマが計時している時刻が前記所定時刻に関連付けられた所定期間内の時刻であるときに、前記予め定められた発光態様で前記発光部が発光するように、前記駆動部に前記発光部を駆動させる。
【０００７】
本発明の第２の態様の電球は、取り外し可能な状態で照明器具本体に対して取り付けられる口金部と、前記照明器具本体から前記口金部を経由して供給される電力を利用して発光し、発光態様が変更される発光部と、前記発光部の前記発光態様を制御するための無線情報を受信するアンテナ部と、前記無線情報に基づいて前記発光部の前記発光態様を制御する制御部と、を備え、前記無線情報は、所定時刻の情報および前記発光部を予め定められた発光態様で発光させることを指示する発光態様指示情報を含み、前記制御部は、前記アンテナ部で受信された前記無線情報から前記所定時刻の情報および前記発光態様指示情報を抽出する無線情報受信部と、時刻を計時するタイマと、前記発光部を駆動する駆動部と、前記無線情報受信部によって抽出された前記発光態様指示情報に基づいて、前記駆動部に前記発光部を駆動させる発光制御部と、を含み、前記発光制御部は、前記タイマが計時している時刻が前記所定時刻に関連付けられた所定期間内の時刻であるときに、前記予め定められた発光態様で前記発光部が発光するように、前記駆動部に前記発光部を駆動させる。
【発明の効果】
【０００８】
本発明によれば、照明器具の全体を交換することなく、照明器具に目覚まし照明のための機能を持たせることができる。
【図面の簡単な説明】
【０００９】
【図１】本発明の実施の形態の照明制御システムの全体概要を説明するための図である。
【図２】本発明の実施の形態の電球の構造を説明するための図である。
【図３】本発明の実施の形態の照明制御システムの各部の機能を説明するためのブロック図である。
【図４】本発明の実施の形態の電球の制御部において実行される発光制御処理を説明するためのフローチャートである。
【図５】本発明の実施の形態の端末機の表示部および入力部を説明するための図である。
【図６】本発明の実施の形態の端末機の各部の機能を説明するためのブロック図である。
【図７】本発明の実施の形態の端末機の制御部において実行される目覚ましセット処理を説明するためのフローチャートである。
【図８】本発明の実施の形態の電球が発する光の明るさ（輝度）と端末機のアラーム音発生時刻との関係を説明するための図である。
【図９】本発明の実施の形態の電球が発する光の色温度と端末機のアラーム音発生時刻との関係を説明するための図である。
【発明を実施するための形態】
【００１０】
以下、図面を参照しながら、本発明の実施の形態の電球、電球制御セット、および電球制御プログラムを説明する。
【００１１】
（電球制御セット）
図１に示されるように、実施の形態の照明制御システムは、ベッド等の寝具１が設置されている寝室で使用されることが想定されている。ただし、実施の形態の照明制御システムは、寝室以外の場所で使用されてもよい。
【００１２】
図１に示されるように、実施の形態の照明制御システムは、電球４が照明器具本体３２に取り付けられた照明器具３と電球４へ無線情報を送信する端末機２とによって構成されている。実施の形態の電球制御セットは、前述の照明制御システムのうち、電球４と電球４へ無線情報を送信する端末機２とによって構成されている。
【００１３】
本実施の形態の照明制御システムによれば、照明器具３のうちの電球４を交換するとともに、端末機２に電球制御プログラムを格納するだけで、照明器具３の発光態様を変更することができる。つまり、照明器具本体３２を交換することなく、照明器具３に目覚まし照明のための機能を持たせることができる。この詳細は、以下で説明される。
【００１４】
本実施の形態の照明システムにおいては、照明器具本体３２の操作部３１の操作による電球４の発光態様の制御が、端末機２からの無線情報による電球４の発光態様の制御よりも優先して実行される。ただし、端末機２からの無線情報による電球４の発光態様の制御が、照明器具本体３２の操作部３１による操作よる電球４の発光態様の制御よりも優先して実行されてもよい。
【００１５】
（実施の形態の電球の基本例）
まず、図２を用いて、電球４の構造を説明する。
【００１６】
図２に示されるように、実施の形態の電球４は、口金部４１、接続部４２、グローブ部４３、発光部４４、制御部４５、およびアンテナ部４６を備えている。
【００１７】
口金部４１は、取り外し可能な状態で照明器具本体３２に対して取り付けられる。口金部４１は、雄ネジ部を有している。口金部４１の雄ネジ部が照明器具本体３２の雌ネジ部にねじ込まれる。この雄ネジ部と雌ネジ部との接触により、電力が照明器具本体３２から口金部４１を経由して電球４の発光部４４へ供給され得る状態が形成される。口金部４１は、接続部４２に固定されている。接続部４２は、円筒状の絶縁体によって構成されている。
【００１８】
接続部４２は、その内部に制御部４５およびアンテナ部４６を内包している。接続部４２は、透明ガラスからなる球殻構造を有するグローブ（globe）部４３に固定されている。グローブ部４３は、発光部４４が発する光を外部に放出するが、口金部４１および接続部４２とともに、発光部４４を内包する密閉空間を構成している。
【００１９】
発光部４４は、照明器具本体３２から口金部４１を経由して供給される電力を利用して発光し、発光態様が変更され得る。発光部４４は、ＬＥＤ（Light Emitting Diode）を含み、調光および調色をすることが可能に構成されている。発光部４４は制御部４５に電気的に接続されている。それにより、発光部４４の発光態様が、制御部４５によって制御される。
【００２０】
制御部４５は、外部から送信されてきた無線情報に基づいて発光部４４の発光態様を制御する。この基本例においては、制御部４５は、外部の機器から発信される所定時刻の情報を含んでいる無線情報を用いて、電球４の発光態様を制御するものとする。制御部４５は、アンテナ部４６に電気的に接続されている。制御部４５は、アンテナ部４６によって受信された無線情報に基づいて、発光部４４を制御する。また、制御部４５は、照明器具本体３２の操作部３１の操作によって、電源から照明器具本体３２内の電力線および口金部４１を経由して送られてくるパルス信号に基づいて、発光部４４を制御する。
【００２１】
アンテナ部４６は、発光部４４の発光態様を制御するための無線情報を受信する。外部から送信されてきた無線情報は、グローブ部４３を通過してアンテナ部４６へ至る。無線情報は、所定時刻の情報を含んでいる。端末機２から送信されてきた無線情報は、所定時刻の情報に加えて、発光部４４の発光態様を指示する情報を含んでいてもよい。
【００２２】
次に、図３を用いて、電球４および照明器具本体３２の各部の機能を説明する。
【００２３】
図３に示されるように、制御部４５は、無線情報受信部４５ａ、記憶部４５ｅ、タイマ４５ｃ、駆動部４５ｄ、および発光制御部４５ｂを含んでいる。無線情報受信部４５ａ、記憶部４５ｅ、タイマ４５ｃ、駆動部４５ｄ、および発光制御部４５ｂは、アンテナ部４６で受信された無線情報を処理するための部分である。
【００２４】
無線情報受信部４５ａは、アンテナ部４６で受信された無線情報から所定時刻の情報を抽出する。記憶部４５ｅは、発光部４４を予め定められた発光態様で発光させるための発光制御情報を記憶している。タイマ４５ｃは、時刻を計時する。駆動部４５ｄは、発光部４４を駆動する。発光制御部４５ｂは、記憶部４５ｅに記憶された発光制御情報に基づいて、予め定められた発光態様で発光部４４が発光するように、駆動部４５ｄに発光部４４を駆動させる。ただし、発光制御部４５ｂは、端末機２から送信されてきた発光態様指示情報を記憶部４５ｅに一旦記憶し、その記憶部４５ｅに記憶された発光態様指示情報に基づいて、発光部４４の発光態様を制御してもよい。
【００２５】
本基本例においては、タイマ４５ｃが計時している時刻が無線情報受信部４５ａによって抽出された所定時刻に関連付けられた所定期間内の時刻である場合に、発光制御部４５ｂは駆動部４５ｄに発光部４４を駆動させる。このとき、発光制御部４５ｂは、記憶部４５ｅ内に記憶されている発光制御情報に基づいて、予め定められた発光態様で発光部４４が発光するように、駆動部４５ｄに発光部４４を駆動させる。そのため、電球４の発光態様とその発光態様を実現する期間とを関連付けて制御することができる。無線情報に含まれる所定時刻に関連付けられた所定期間は、所定時刻の前の一定期間であっても、所定時刻の後の一定期間であってもよい。また、無線情報に含まれる所定時刻に関連付けられた所定期間は、所定時刻の前後に跨る一定期間であってもよい。所定期間は、目覚まし照明のための機能を実現できる期間であって、所定時刻を決定することによって決定される期間であれば、いかなる期間であってもよい。本実施の形態においては、無線情報に含まれる所定時刻に関連付けられた所定期間は、端末機２のアラーム音発生時刻のＸ時間前、たとえば、３０分前から所定時刻（起床希望時刻）までの間であるものとする。
【００２６】
駆動部４５ｄは、照明器具本体３２および口金部４１を経由して電力が供給される部分である。駆動部４５ｄは、その電力を用いて、発光部４４を発光させる。駆動部４５ｄは、照明器具本体３２の操作部３１の操作によって、電源から照明器具本体３２内の電力線および口金部４１を経由して送られてくる、いわゆる有線情報を処理するための部分でもある。たとえば、操作部３１のＯＮ／ＯＦＦスイッチ３１ａが１秒以内にＯＮ状態からＯＦＦ情報を経由してＯＮ状態に戻されたとする。この場合に、駆動部４５ｄから発光制御部４５ｂへそのパルス信号が送られることにより、端末機２から送られてくる無線情報よりも、操作部３１による操作を優先して制御する状態が形成される。それにより、発光制御部４５ｂは、操作部３１から送られてくる発光態様指示情報に基づいて、発光部４４が発光するように、駆動部４５ｄに発光部４４を駆動させることができる。
【００２７】
照明器具本体３２は、操作部３１を含んでいる。操作部３１は、ＯＮ／ＯＦＦスイッチ３１ａ、調光部３１ｂ、および調色部３１ｃを含んでいる。調光部３１ｂおよび調色部３１ｃは、それぞれ、口金部４１に電気的に接続されており、操作部３１から口金部４１へ至る電力線を利用して、駆動部４５ｄへ指令信号を送信する。
【００２８】
ＯＮ／ＯＦＦスイッチ３１ａは、電球４の点灯と消灯とを切り替えるためのスイッチである。ＯＮ／ＯＦＦスイッチ３１ａがＯＮ状態である場合には、電力が電源から照明器具本体３２内の電力線および口金部４１を経由して制御部４５の駆動部４５ｄへ供給される。ＯＮ／ＯＦＦスイッチ３１ａがＯＦＦ状態である場合には、照明器具本体３２から電球４へ電力は供給されないため、電球４は発光することができない。発光制御部４５ｂは、照明器具本体３２から駆動部４５ｄへ電力が供給されている場合に、その電力を利用して、駆動部４５ｄに発光部４４を駆動させる。
【００２９】
調光部３１ｂは、電球４が発する光の明るさを調節するためのダイヤルスイッチである。ダイヤルスイッチを回すことにより電球４が発する光の明るさを変更することができる。調光部３１ｂを回すことによって指示された電球４が発する光の明るさの情報は、照明器具本体３２内の電力線および口金部４１を経由して、駆動部４５ｄで受信される。たとえば、使用者が調光部３１ｂのつまみを回す度合いに応じて、操作部３１から所定の明るさに対応した所定のパルス信号が駆動部４５ｄへ送られる。駆動部４５ｄは、所定の明るさに対応した所定のパルス信号を発光制御部４５ｂへ送る。発光制御部４５ｂは、所定のパルス信号に基づいて、発光部４４が所定の明るさで発光するように、駆動部４５ｄに発光部４４を駆動させる。複数種類の明るさを特定可能パルス信号のうちいずれかのパルス信号が、調光部３１ｂのダイヤルの回す程度に応じて操作部３１から駆動部４５ｄへ送信される。
【００３０】
調色部３１ｃは、電球４が発する光の色を調節するためのダイヤルスイッチである。ダイヤルスイッチを回すことにより電球４が発する光の色を変更することができる。調色部３１ｃを回すことによって指示された電球４が発する光の色の情報は、照明器具本体３２内の電力線および口金部４１を経由して、駆動部４５ｄで受信される。たとえば、使用者が調色部３１ｃのつまみを回す度合いに応じて、操作部３１から所定の色に対応した所定のパルス信号を駆動部４５ｄへ送られる。駆動部４５ｄは、所定の色に対応した所定のパルス信号を発光制御部４５ｂへ送る。発光制御部４５ｂは、所定の色に対応した所定のパルス信号に基づいて、発光部４４が所定の色を発するように、駆動部４５ｄに発光部４４を駆動させる。複数種類の色を特定可能パルス信号のうちいずれかのパルス信号が、調色部３１ｃのダイヤルの回す程度に応じて操作部３１から駆動部４５ｄへ送信される。
【００３１】
本実施の形態の電球４においては、照明器具本体３２の操作部３１の操作によるＯＮ／ＯＦＦスイッチ３１ａに基づく電球４の発光態様の制御が、端末機２からの無線情報による電球４の発光態様の制御よりも優先して実行される。具体的には、発光制御部４５ｂは、照明器具本体３２のＯＮ／ＯＦＦスイッチ３１ａがＯＮ状態であることを検出している場合に、アンテナ部４６が無線情報を受信すると、発光部４４の発光態様を制御する。この場合、発光制御部４５ｂは、発光部４４の発光態様を制御しているときに、照明器具本体３２のＯＮ／ＯＦＦスイッチ３１ａがＯＮ状態からＯＦＦ状態を経てＯＮ状態へ戻されたことを検出する場合がある。この場合には、発光制御部４５ｂは、発光部４４が予め定められた一定の点灯状態を維持するように、駆動部４５ｄに発光部４４を駆動させる。これによれば、照明器具本体３２のＯＮ／ＯＦＦスイッチ３１ａの操作により、端末機２からの無線情報にしたがった電球４の発光態様の制御が中止される。また、操作部３１の操作に基づく電球４の発光態様の制御を実行することが可能になる。
【００３２】
本実施の形態においては、照明器具本体３２は、調光部３１ｂおよび調色部３１ｃを有する操作部３１を備えている。しかしながら、操作部３１が調光部３１ｂおよび調色部３１ｃを有していない照明器具本体が用いられる場合がある。この場合には、端末機２から送られてくる無線情報によってのみ発光部４４の発光態様が制御される。
【００３３】
（電球の発光制御処理）
次に、図４を用いて、電球４の制御部４５が実行する発光制御処理を説明する。
【００３４】
図４に示されるように、ステップＳ１において、制御部４５は、照明器具本体３２のＯＮ／ＯＦＦスイッチ３１ａがＯＮ状態になっているか否かを判定する。具体的には、発光制御部４５ｃは、駆動部４５ｄから発光制御部４５ｃへ送られる電力供給信号の有無に応じて、電力が照明器具本体３２から電球４の駆動部４５ｄへ供給されているか否かを判定する。照明器具本体３２のＯＮ／ＯＦＦスイッチ３１ａがＯＮ状態である場合には、照明器具本体３２から駆動部４５ｄへ電力が供給されている。また、駆動部４５ｄは、電力が供給されていることを示す電力供給信号を発光制御部４５へ送信している。そのため、発光制御部４５ｂは、駆動部４５ｄから電力供給信号が送信されてきているか否かによって、照明器具３のＯＮ／ＯＦＦスイッチ３１ａがＯＮ状態であるかまたはＯＦＦ状態であるかを判定することができる。
【００３５】
ステップＳ１において、照明器具３のＯＮ／ＯＦＦスイッチ３１ａがＯＮ状態になっていないと判定されると、制御部４５は、ステップＳ２の処理を実行する。ステップＳ２において、制御部４５は、照明器具本体３２のＯＮ／ＯＦＦスイッチ３１ａがＯＦＦ状態であるため、照明器具３のＯＮ／ＯＦＦスイッチ３１ａがＯＦＦ状態からＯＮ状態に切り替えられたか否かを判定する。ステップＳ２において、照明器具３のＯＮ／ＯＦＦスイッチ３１ａがＯＦＦ状態からＯＮ状態に切り替えられたと判定されなければ、ステップＳ１とステップＳ２とを繰り返す。つまり、照明器具３のＯＮ／ＯＦＦスイッチ３１ａがＯＦＦ状態の間においては、電球４の制御部４５は、発光部４４の発光態様を制御しない。
【００３６】
一方、ステップＳ２において、照明器具３のＯＮ／ＯＦＦスイッチ３１ａがＯＦＦ状態からＯＮ状態に切り替えられたと判定されると、制御部４５は、ステップＳ３において、電球４を点灯させる処理を実行する。この場合、電球４の発光部４４は、予め定められた一定の明るさおよび一定の色で発光する。つまり、制御部４５は、日常生活で使用される電球の明るさおよび色で発光部４４を発光させる。具体的には、発光制御部４５ｂが、発光部４４が予め定められた一定の明るさおよび一定の色で発光するように、駆動部４５ｄに発光部４４を駆動させる。この予め定められた一定の明るさおよび一定の色で発光部４４を発光させるための情報は、記憶部４５ｅに予め記憶されている。
【００３７】
ステップＳ１において、照明器具３のＯＮ／ＯＦＦスイッチ３１ａがＯＮ状態になっていると判定されると、制御部４５は、ステップＳ４の処理を実行する。ステップＳ４においては、制御部４５は、端末機２からの無線情報に基づいて電球４を制御するために、アンテナ部４６で無線情報が受信されたか否かを判定する。この判定は、アンテナ部４６から無線情報受信部４５ａへ送られた無線情報から所定時刻の情報を抽出できるか否かによってなされる。無線情報には、電球４の発光態様を制御するための信号であることを示すフラグが付されている。無線情報受信部４５ａは、そのフラグの有無によって所定時刻の情報があるか否かを判定する。無線情報受信部４５ａがフラグを検出した場合には、つまり、所定時刻の情報が無線信号に含まれている場合には、ステップＳ５において、発光制御部４５ｂは、その所定時刻の情報を記憶部４５ｅに記憶させる。ただし、所定時刻の情報が記憶部４５ｅに既に記憶されている場合には、ステップＳ６の処理が実行される。
【００３８】
また、発光制御部４５ｂは、この所定時刻の情報に加えて、無線情報の中に発光部４４の明るさおよび色を特定する情報が含まれている場合には、発光部４４の明るさおよび色を特定する情報も記憶部４５ｅに記憶させる。ただし、本実施の形態においては、無線情報の中に発光部４４の明るさおよび色を特定する情報が含まれていないものとする。そのため、発光制御部４５ｂは、記憶部４５ｅに予め記憶された電球４の発光制御情報に基づいて発光部４４の発光態様を制御する。ステップＳ６の処理は、端末機２を用いて、発光部４４の発光態様を決定する場合にのみ行われる処理である。
【００３９】
ステップＳ５の処理が終わると、数秒が経過した後、ステップＳ６において、電球４を消灯させる。つまり、発光制御部４５ｂは、発光部４４が発光しないように、駆動部４５ｄから発光部４４へ供給される電力をゼロにするように駆動部４５ｄを制御する。ただし、電球４が既に消灯されている場合には、ステップＳ７の処理が実行される。
【００４０】
次に、ステップＳ７において、発光制御部４５ｂは、タイマ４５ｃが計時している時刻が記憶部４５ｅに記憶されている所定時刻のＸ時間前の時刻を過ぎているか否かを判定する。このＸ時間の情報は、所定時刻の情報とともに無線情報に含まれていてもよいが、本実施の形態においては、記憶部４５ｅに予め記憶されているものとする。
【００４１】
ステップＳ７において、タイマ４５ｃが計時している時刻が所定時刻のＸ時間前の時刻を過ぎていると判定されなければ、発光制御部４５ｂは、前述のステップＳ２の処理を実行する。このようにステップＳ２の処理を行う理由は、照明器具本体３２のＯＮ／ＯＦＦスイッチ３１ａがＯＮ状態になっているときに無線情報を受信した後、使用者が電球４の発光制御を中止したいと考える場合があるからである。この場合に、使用者が、照明器具本体３２のＯＮ／ＯＦＦスイッチ３１ａをＯＮ状態からＯＦＦ状態を経由してＯＮ状態へ戻すと、発光制御部４５ｂは、使用者のＯＮ／ＯＦＦスイッチ３１ａの操作に基づく制御を優先的に実行する。したがって、一旦設定された電球４の発光制御が終了するまで、その設定された制御状態を解除できないという不都合は生じない。
【００４２】
ステップＳ７において、タイマ４５ｃが計時している時刻が所定時刻のＸ時間前の時刻を過ぎていると判定されれば、発光制御部４５ｂは、前述のステップＳ８の処理を実行する。ステップＳ８においては、発光制御部４５ｂは、記憶部４５ｅに記憶された予め定められた発光制御情報によって特定される発光態様で発光部４４を発光させるように、駆動部４５ｄに発光部４４を駆動させる。本実施の形態の場合、発光制御部４５ｂは、所定時刻のＸ時間前、たとえば、３０分前から所定時刻まで、発光部４４が発する光の明るさを徐々に大きくするように、駆動部４５ｄに発光部４４を駆動させる。また、発光制御部４５ｂは、発光部４４が発する光の明るさが徐々に大きくするのと同期して、発光部４４が発する光の色が黄色から白色に変化するように、駆動部４５ｄに発光部４４を駆動させる。
【００４３】
その後、ステップＳ９において、発光制御部４５ｂは、タイマ４５ｃが計時している時刻が記憶部４５ｅに記憶されている所定時刻を過ぎているか否かを判定する。ステップＳ９において、タイマ４５ｃが計時している時刻が所定時刻になっていないと判定されなければ、発光制御部４５ｂは、前述のステップＳ２の処理を実行する。
【００４４】
上記のようにステップＳ２の処理を行う理由は、予め定められた発光態様で発光部４４が発光している間においても、使用者が電球４の発光態様の制御を中止したいと考える場合があるためである。この場合に、使用者が、照明器具本体３２のＯＮ／ＯＦＦスイッチ３１ａをＯＮ状態からＯＦＦ状態を経由してＯＮ状態へ戻すと、発光制御部４５ｂは、使用者のＯＮ／ＯＦＦスイッチ３１ａの操作に基づく制御を優先的に実行する。つまり、電球４は、ＯＮ／ＯＦＦスイッチ３１ａのＯＮ状態での通常使用時の発光態様で発光する。したがって、無線情報に基づく発光部４４の発光制御の途中で、発光制御を中止できないという不都合は生じない。
【００４５】
ステップＳ９において、タイマ４５ｃが計時している時刻が所定時刻を過ぎていると判定されなければ、発光制御部４５ｂは、前述のステップＳ１０の処理を実行する。ステップＳ１０においては、発光制御部４５ｂは、記憶部４５ｅに記憶された所定時刻の情報を消去する。
【００４６】
なお、外部から送信されてきたＸ時間前の時刻の情報を用いていた場合には、記憶部４５ｅのＸ時間前の時刻の情報も消去する。また、発光部４４の明るさおよび色を特定する情報が無線情報に含まれていた情報である場合には、発光制御部４５ｂは、記憶部４５ｅに記憶された発光部４４の明るさおよび色を特定する情報も消去する。
（実施の形態の電球の変形例）
前述のように、本実施の形態においては、端末機２から電球４へ送られる無線情報は、所定時刻の情報のみを含んでいる。しかしながら、端末機２から電球４へ送られる無線情報が、所定時刻のＸ時間前の時刻を特定可能な情報、および発光部４４を予め定められた発光態様で発光させることを指示する発光態様指示情報を含んでいてもよい。この場合、無線情報受信部４５ａは、アンテナ部４６で受信された無線情報から所定時刻の情報、所定時刻のＸ時間前の時刻を特定可能な情報、および発光態様指示情報を抽出する。発光制御部４５ｂは、抽出された所定時刻の情報、所定時刻のＸ時間前の時刻を特定可能な情報、および発光態様指示情報を記憶部４５ｅに記憶させる。発光制御部４５ｂは、この記憶部４５ｅに記憶された所定時刻の情報、所定時刻のＸ時間前の時刻を特定可能な情報、および発光態様指示情報を用いて、発光部４４を制御する。
【００４７】
上記の変形例によれば、使用者は、端末機２を用いて、アラーム音発生時刻（所定時刻）および電球４の発光態様の双方を決定することができる。したがって、使用者は、多様な発光態様の中から好みの目覚まし照明のための電球４の発光態様を選択することができる。端末機２の操作および制御については、後述される。
【００４８】
上記の電球４によれば、使用者の端末機２のアラーム音の発生の時刻の設定と同時に電球４の発光態様を制御するための設定を行うことができる。したがって、電球４の発光態様の設定のための手間の増加なしに、照明器具３に目覚まし照明のための機能を持たせることができる。また、上記の電球４によれば、照明器具３を交換することなく、電球４を交換するだけで、電球４の使用者を快適に目覚めさせることができる。
【００４９】
（実施の形態１の電球を制御するための端末機）
次に、図５を用いて、本実施の形態の端末機２を説明する。端末機２は、液晶表示画面に表示されるアイコンに指でタッチすることにより情報が入力されるタッチパネル形式の携帯電話機、いわゆるスマートフォンである。ただし、端末機２にとって、携帯電話機としての機能は必須ではない。
【００５０】
本実施の形態の電球４を制御するための電球制御用プログラムは、コンピュータ読み取り可能な記録媒体に格納された状態で取引され、記録媒体から端末機２に読み込まれてもよい。しかしながら、本実施の形態においては、電球制御用プログラムは、インターネット上のサイトからダウンロードされるものであるものとする。そのため、端末機２は、インターネット接続用のアプリケーションソフトをダウンロードすることが可能な携帯電話機、タブレット端末機、または汎用のパーソナルコンピュータであることが望ましい。ただし、以下の機能を備えているのであれば、端末機２は、電球４を制御するためにのみ用いられる専用コントローラであってもよい。この専用コントローラは、アラーム音発生時刻（所定時刻）を無線情報として電球４に送信することができる機能させ有していれば、いわゆる目覚まし時計であってもよい。
【００５１】
図５および図６に示されるように、端末機２は、入力部２２〜２７、表示部２１、アンテナ部２８、および音発生部２９を備えている。入力部２２〜２７は、使用者の操作によって情報を入力するためのものである。
【００５２】
入力部２２〜２７は、ＯＮ／ＯＦＦ入力部２２、数値入力部２３、セット（ＳＥＴ）入力部２４、明るさ入力部２５、色入力部２６、およびアラーム音選択入力部２７を含んでいる。
【００５３】
ＯＮ／ＯＦＦ入力部２２は、表示部２１の表示機能をＯＮ状態またはＯＦＦ状態にするためのものである。したがって、使用者は、ＯＮ／ＯＦＦ入力部２２のＯＮを選択することにより、表示部２１に所定の画像を表示させることができる。本実施の形態においては、ＯＮ／ＯＦＦ入力部２２のＯＮが選択された場合には、表示部２１には、所定時刻の情報が入力されるべきであることを示唆する表示がなされるものとする。
【００５４】
数値入力部２３は、所定時刻の情報を入力するためのものである。数値入力部２３によって入力された所定時刻の情報は、表示部２１に表示される。なお、端末機２で、所定時刻のＸ時間前の時刻を決定する場合には、所定時刻の情報の入力の後、Ｘの値が入力される。セット（ＳＥＴ）入力部２４は、数値入力部２３、明るさ入力部２５、色入力部２６、およびアラーム音選択入力部２７のそれぞれによって入力された設定値を確定させるためのものである。
【００５５】
明るさ入力部２５は、電球４が発する光の明るさの情報を入力するためのものである。色入力部２６は、電球４が発する光の色の情報を入力するためのものである。なお、電球４が自らの記憶部４５ｅに記憶する発光態様制御情報に基づいて発光部４４を発光させる場合には、端末機２は、明るさ入力部２５および色入力部２６を有していなくてもよい。明るさ入力部２５および色入力部２６は、電球４が発光制御情報を有していない場合に、端末機２から電球４へ発光態様指示情報を送信する場合に必要となる。
【００５６】
アラーム音選択入力部２７は、数値入力部２３によって入力された所定時刻に、端末機２の音発生部２９に発生させる、いわゆる目覚まし用のアラーム音の種類の情報を入力するためのものである。つまり、アラーム音選択入力部２７は、複数種類の目覚まし用のアラーム音のうちから１種類の目覚まし用のアラーム音を選択するための入力部である。本実施の形態においては、アラーム音としては、Ａ、Ｂ、Ｃ、Ｄ、およびＥの５種類のものが予め記憶部２０ｃに記憶されている。アラーム音選択入力部２７のＡ、Ｂ、Ｃ、Ｄ、およびＥのいずれかを選択することにより、所定時刻になった時点で音発生部２９によって発せられる目覚まし用のアラーム音の種類が決定される。
【００５７】
表示部２１は、入力部２２〜２７の操作によって入力された情報が順次表示される。表示部２１は、使用者に情報の入力を促す表示を表示部２１に表示する。たとえば、所定時刻を入力させることを促す場合には、「何時におきますか？」等の入力すべき情報が何であるのかを示唆する情報を表示する。
【００５８】
アンテナ部２８は、入力部２２〜２７を用いて入力された情報を、無線情報として送信する。この無線情報には上記の所定の時刻の情報等が含まれている。端末機２を用いて電球４の発光態様を電球４へ指示する場合には、端末機２が送信する無線情報は、所定時刻の情報以外に、電球４が発する光の明るさの情報、および電球４が発する光の色の情報を含んでいる。さらに、端末機２が送信する無線情報は、所定時刻のＸ時間前の時刻を特定可能な情報を含んでいる場合もある。
【００５９】
音発生部２９は、アラーム音を発生させる、いわゆるスピーカーである。音発生部２９は、アラーム音選択入力部２７を用いて選択されたアラーム音を所定時刻に発生させる。
【００６０】
（実施の形態の電球制御プログラム）
次に、図６を用いて、本実施の形態の電球制御プログラムを説明する。実施の形態の電球制御プログラムは、端末機２のコンピュータにおいて用いられる電球制御プログラムである。
【００６１】
実施の形態の電球制御プログラムは、端末機２に搭載されたコンピュータを、図６に示される表示／入力制御部２０ａ、タイマ２０ｂ、駆動部２９ａ、および無線情報送信部２８ａとして機能させるものである。表示／入力制御部２０ａは、入力部２２〜２７の操作によって入力された所定時刻の情報等を表示部２１に表示させる。タイマ２０ｂは、時刻を計時する。タイマ２０ｂによって計時されている時刻が所定時刻になった場合に、駆動部２９ａは、表示／入力制御部２０ａによって制御されて、音発生部２９にアラーム音を発生させる。無線情報送信部２８ａは、上記の電球４の無線情報受信部４５ａが無線情報から所定時刻の情報を抽出可能な態様で、所定時刻の情報を、アンテナ部２８から送信する。
【００６２】
（実施の形態の電球制御プログラムの変形例）
上記の実施の形態の電球制御プログラムにおいては、端末機２においてアラーム音を発生させることが前提とされている。しかしながら、端末機２が音発生部２９を有していない場合がある。また、端末機２が音発生部２９を有していても、アラーム音の発生を必要としない場合またはアラーム音を鳴らすことが好ましくない環境で電球４を使用している場合がある。このような場合においても、無線情報送信部２８ａは、電球４の無線情報受信部４５ａが無線情報から所定時刻の情報を抽出可能な態様で、所定時刻の情報等を、アンテナ部２８から送信する。この場合、使用者は、アラーム音の発生とは無関係に電球４の点灯、点滅、明るさの増加、および色温度の増加等の発光態様の変化のみで目覚めることになる。
【００６３】
なお、上記の場合、アラーム音を発生させるか否かを決定するために、アラーム音選択入力部２７によって、「アラーム音不要」を選択することができることが好ましい。
【００６４】
(本実施の形態の端末機において実行される制御処理）
次に、図７を用いて、目覚ましセット処理を説明する。
【００６５】
図７に示されるように、ステップＳ１１において、表示／入力制御部２０ａは、使用者が数値入力部２３を操作することにより、アラーム音発生時刻（所定時刻）の設定値の入力があったか否かを判定する。ステップＳ１１において、アラーム音発生時刻の設定値の入力がないと判定された場合には、表示／入力制御部２０ａは、その状態で待機する。ステップＳ１１において、アラーム音発生時刻の設定値の入力があったと判定された場合には、表示／入力制御部２０ａは、ステップＳ１２の処理を実行する。
【００６６】
次にステップＳ１２以降の処理が説明される。ただし、前述のように、端末機２が電球４の発する光の明るさおよび色を電球４に指示するのではなく、電球４自身が予め定められた電球４の明るさおよび色の情報を記憶している場合がある。これは、上記の（実施の形態の電球の変形例）において説明された電球４が用いられる場合である。この場合には、ステップＳ１５〜ステップＳ１８は不要である。ステップＳ１５〜ステップＳ１８は、端末機２において、電球４の発光態様が決定される場合に必要な処理である。
【００６７】
ステップＳ１２においては、表示／入力制御部２０ａは、使用者の数値入力部２３の操作によって入力されたアラーム音発生時刻の設定値を一時的にＲＡＭ（Random Access Memory）に記憶するとともに、表示部２１に表示する。また、ステップＳ１２においては、記憶部２０ｃのＲＯＭ（Read  only Memory）に固定的に記憶されている標準の端末機２のアラーム音の設定値が一時的にＲＡＭ（Random Access Memory）に記憶される。また、記憶部２０ｃのＲＯＭに固定的に記憶されている標準の電球４が発する光の明るさの設定値および電球４が発する光の色の設定値が一時的にＲＡＭに記憶される。アラーム音の種類、電球４が発する光の明るさ、および電球４が発する光の色の標準の設定値は、使用者が端末機２を用いて、アラーム音の種類、電球４の明るさ、および電球４の色を指定しない場合に用いられる値である。ただし、電球４が自身の記憶部４５ｅに予め記憶されている発光部４４の明るさおよび色の情報を用いて発光部４４を発光させる場合には、端末機２は、明るさおよび色の情報を電球４へ送信しなくてもよい。
【００６８】
ステップＳ１２の処理においては、一旦、使用者が、端末機２のアラーム音の種類の情報、ならびに、電球４の明るさおよび色の情報を書き換えた場合には、その書き換えられた情報が記憶部２０ｃのＲＡＭに記憶された状態が維持される。
【００６９】
ステップＳ１３において、表示／入力制御部２０ａは、使用者が数値入力部２３を操作することにより端末機２のアラーム音の種類の設定値を入力したか否かを判定する。ステップＳ１３において、端末機２のアラー音の設定値の入力があったと判定されない場合には、ステップＳ１５の処理が実行される。ステップＳ１３において、端末機２のアラー音の設定値の入力があったと判定された場合には、表示／入力制御部２０ａは、ステップＳ１４の処理を実行する。ステップＳ１４においては、表示／入力制御部２０ａは、記憶部２０ｃのＲＡＭに記憶されている端末機２の標準のアラーム音の種類の設定値を、使用者の数値入力部２３の操作によって入力された端末機２のアラーム音の種類の設定値に書き換える。また、表示／入力制御部２０ａは、使用者に設定されたアラーム音の種類を知らせるために、書き換えられたアラーム音の種類を表示部２１に表示する。
【００７０】
ステップＳ１５において、表示／入力制御部２０ａは、使用者が明るさ入力部２５を操作することにより電球４の明るさの設定値を入力したか否かを判定する。ステップＳ１５において、電球４の明るさの設定値の入力があったと判定されない場合には、ステップＳ１７の処理が実行される。ステップＳ１５において、電球４の明るさの設定値の入力があったと判定された場合には、表示／入力制御部２０ａは、ステップＳ１６の処理を実行する。ステップＳ１６においては、表示／入力制御部２０ａは、記憶部２０ｃのＲＡＭに記憶されている標準の電球４の明るさの設定値を、使用者の明るさ入力部２５の操作によって入力された電球４の明るさの設定値に書き換える。また、表示／入力制御部２０ａは、使用者に設定された電球４の明るさを知らせるために、書き換えられた電球４の明るさを表示部２１に表示する。
【００７１】
ステップＳ１７において、表示／入力制御部２０ａは、使用者が色入力部２６を操作することにより電球４の色の設定値を入力したか否かを判定する。ステップＳ１７において、電球４の色の設定値の入力があったと判定されない場合には、ステップＳ１９の処理が実行される。ステップＳ１７において、電球４の色の設定値の入力があったと判定された場合には、表示／入力制御部２０ａは、ステップＳ１８の処理を実行する。ステップＳ１８においては、表示／入力制御部２０ａは、ＲＡＭに記憶されている標準の電球４の発光色の設定値を、使用者の色入力部２６の操作によって入力された電球４の色の設定値に書き換える。また、表示／入力制御部２０ａは、使用者に設定された電球４の色を知らせるために、書き換えられた電球４の色を表示部２１に表示する。
【００７２】
ステップＳ１９において、表示／入力制御部２０ａは、セット（ＳＥＴ）入力部２４がＯＮされたのか否かを判定する。ステップＳ１９において、セット（ＳＥＴ）入力部２４がＯＮされていないと判定される場合がある。この場合には、ステップＳ２０において、表示／入力制御部２０ａは、各設定値の入力を促す指示表示およびセット（ＳＥＴ）入力部２４をＯＮすること促す指示表示を表示部２１に表示する。それによって、表示／入力制御部２０ａは、使用者に各設定値の入力を促す。ステップＳ１９において、セット（ＳＥＴ）入力部２４がＯＮされていると判定される場合がある。この場合、ステップＳ２１において、タイマ２０ｂが計時している時刻が記憶部２０ｃのＲＡＭに記憶されている所定の時刻になった時点で、音発生部２９が設定されたアラーム音を発生させる状態が形成される。次に、ステップＳ２２において、端末機２の所定時刻の情報、ならびに、電球４の明るさの情報、および電球４の色の情報を、電球４へ送信する。この場合に、電球４において、所定時刻のＸ時間前を規定するための設定値Ｘの情報を有していない場合には、設定値Ｘの情報も電球４へ送ってもよい。
【００７３】
上記のステップＳ１３〜ステップＳ１８において、使用者が設定値を入力せずに、セット（ＳＥＴ）入力部２４をＯＮする場合がある。この場合には、ステップＳ２１およびＳ２２においては、表示／入力制御部２０ａは、予め定められた標準の設定値の情報を電球４へ送信してもよい。つまり、表示／入力制御部２０ａは、標準の電球４の明るさ、および標準の電球４の発光色の情報を電球４へ送信してもよい。この場合、表示／入力制御部２０ａは、標準の端末機２のアラーム音を記憶部２０ｃに記憶し、所定時刻にそのアラーム音を音発生部２９に発生させる。
【００７４】
端末機２が電球４の明るさおよび色を電球４に指示せずに、電球４が予め定められた電球４の明るさおよび色の設定値を記憶している場合がある。つまり、上記の（実施の形態の電球の基本例）において説明された電球４が用いられる場合である。この場合には、ステップＳ２２においては、所定時刻の情報のみが電球４へ送信される。
【００７５】
ステップＳ２３において、表示／入力制御部２０ａは、タイマ２０ｂが計時している時刻がセットされた所定時刻（アラーム音発生時刻）になっているか否かを判定する。ステップＳ２３において、タイマ２０ｂが計時している時刻がセットされた所定時刻（アラーム音発生時刻）になっていない場合には、ステップＳ１１〜ステップＳ２２が繰り返される。一方、ステップＳ２３において、表示／入力制御部２０ａは、ステップＳ２３において、タイマ２０ｂが計時している時刻がセットされた所定時刻（アラーム音発生時刻）になっている場合がある。この場合には、ステップＳ２４において、表示／入力制御部２０ａは、記憶部２０ｃのＲＡＭに記憶されているアラーム音を音発生部２９に発生させる。
【００７６】
上記の制御によれば、目覚まし照明のための発光態様で電球４を発光させる期間は、電球４のタイマ４５ｃによって計時されている時刻がある時刻（所定時刻のＸ時間前）から所定時刻になるまでの特定期間である。すなわち、端末機２が目覚まし用のアラーム音が発生する前の一定期間だけ、覚まし用の発光態様で電球４を発光させる。また、目覚まし用のアラーム音発生時刻の所定時間前からアラーム音発生時刻まで、徐々に電球４の明るさおよび色を変化させる。したがって、端末機２がアラーム音を発生させた時に、電球４が急に明るく発光し、目覚めたばかりの使用者にまぶしさを感じさせることが抑制される。つまり、使用者の周辺環境は徐々に明るくなっているため、アラーム音発生時には明るさに使用者の目が慣れている。したがって、使用者は、快適に目覚めることができる。
【００７７】
（実施の形態の電球の発光の態様）
図８および図９に示されるように、本実施の形態においては、電球４の発光態様は、予め定められた態様である。その予め定められた態様は、発光部４４の明るさと発光部４４の発光色と係が予め定められた対応関係で変化するように設定されている。そのため、電球４の明るさと色とを予め定められた適切な対応関係を有する状態を維持するように変化させることができる。
【００７８】
本実施の形態においては、電球４は、端末機２がアラーム音を発生させる前からアラーム音を発生させるまでの特定期間においてのみ、予め定められた発光態様で発光する。この特定期間において、発光部４４の明るさが徐々に増加する。そのため、使用者の周辺環境を暗い状態から明るい状態へ徐々に変化させることができる。また、予め定められた発光態様は、特定期間において、発光部４４の発光色が黄色から白色に徐々に変化する発光態様である。つまり、予め定められた発光態様は、発光部４４が発する光は、色温度が相対的に低い状態から色温度が相対的に高い状態へ徐々に変化する発光態様である。したがって、電球４に明るさの変化に対応した発光色の変化をさせることができる。この電球４が発する光の明るさと色との対応関係は、実験結果に基づいて、使用者が快適に感じるであろうと推定される対応関係を維持しながら明るさと色とが変化するように決定されている。
【００７９】
図８から分かるように、所定時刻のＸ時間前から所定時刻までの期間において、電球４の明るさは、２０ｌｍから８０ｌｍまで指数関数的に大きくなる。また、図９から分かるように、所定時刻のＸ時間前から所定時刻までの期間において、電球４の色温度は、２０００Ｋから６５００Ｋまで指数関数的に大きくなる。これによれば、電球４の発光態様は、所定時刻のＸ時間前から所定時刻まで、低い色温度から高い色温度へかつ暗い状態から明るい状態へ徐々に変化する。つまり、電球４の明るさと電球４の色とを、使用者が快適に感じるであろうと推定される対応関係を維持しながら変化させることができる。そのため、電球４の使用者を、快適に目覚めさせることができる。
【００８０】
なお、使用者が端末機２を用いて自らの好みの電球４の発光態様を選択する場合には、上記の予め定められた発光態様は用いられない。使用者が端末機２を用いて好みの電球４の発光態様を選択する場合においても、使用者が端末機２に記憶された上記の予め定められた発光態様を選択する場合も考えられる。この場合には、電球４は、図８および図９に示されるような予め定められた発光態様で発光する。
【００８１】
（実施の形態２）
本実施の形態の電球、電球制御セット、照明制御システム、および電球制御プログラムは、以下に説明する機能のみが、実施の形態１の電球、電球制御セット、照明制御システム、および電球制御プログラムと異なる。
【００８２】
（実施の形態２の電球の制御）
本実施の形態においては、無線情報は、予め定められた発光態様で発光部４４を発光させることを指示する発光態様指示情報を含んでいる。この発光態様指示情報は、実施の形態１のアラーム音発生時刻とは無関係に、端末機２から電球４へ送信される。そのために、電球４の無線情報受信部４５ａは、アンテナ部４６で受信された無線情報から発光態様指示情報を抽出する。発光態様指示情報は、電球４の発光態様を指示する情報である。電球４の発光制御部４５ｂは、発光態様指示情報に基づいて、発光部４４が発光するように、駆動部４５ｄに発光部４４を駆動させる。
【００８３】
（実施の形態２の電球制御プログラム）
実施の形態の電球制御プログラムは、実施の形態1の電球制御プログラムと同様に、端末機２のコンピュータにおいて用いられる電球制御プログラムである。
【００８４】
本実施の形態の端末機２においては、表示／入力制御部２０ａは、入力部２２〜２７の操作によって入力された発光態様指示情報を表示部２１に表示させる。つまり、表示部２１には、使用者によって選択された電球４の明るさおよび色が表示される。これにより、使用者は、自らが設定しようとする電球４の明るさおよび色を確認することができる。使用者により、電球４の明るさおよび色が決定されると、表示／入力制御部２０ａは、発光態様指示情報として、記憶部２０ｃに記憶させる。その後、無線情報送信部２８ａは、電球４の無線情報受信部４５ａが無線情報から発光態様指示情報を抽出可能な態様で、発光態様指示情報を、アンテナ部２８から送信する。
【００８５】
上記の構成によれば、使用者は、端末機２を用いて、アラーム音を発生させる所定時刻に加えて電球４の発光態様を決定することができる。したがって、使用者は、いつでも、多様な発光態様の中から好みの発光態様を選択して、電球４を発光させることができる。
【００８６】
以下、実施の形態の電球、電球制御セット、および電球制御プログラムの特徴的構成およびそれにより得られる効果を説明する。
【００８７】
（前提条件）  実施の形態の電球４は、口金部４１、発光部４４、アンテナ部４６、および制御部４５を備えている。口金部４１は、取り外し可能な状態で照明器具本体３２に対して取り付けられる。発光部４４は、照明器具本体３２から口金部４１を経由して供給される電力を利用して発光し、発光態様が変更される。アンテナ部４６は、発光部４４の発光態様を制御するための無線情報を受信する。制御部４５は、無線情報に基づいて発光部４４の発光態様を制御する。
【００８８】
上記の構成によれば、無線情報を用いて電球４の発光態様を制御することができる。
【００８９】
（１）  無線情報は、所定時刻の情報を含んでいてもよい。この場合、制御部４５は、無線情報受信部４５ａ、記憶部４５ｅ、タイマ４５ｃ、駆動部４５ｄ、および発光制御部４５ｂを含んでいる。無線情報受信部４５ａは、アンテナ部４６で受信された無線情報から所定時刻の情報を抽出する。記憶部４５ｅは、発光部４４を予め定められた発光態様で発光させるための発光制御情報を記憶する。タイマ４５ｃは、時刻を計時する。駆動部４５ｄは、発光部４４を駆動する。発光制御部４５ｂは、記憶部４５ｅに記憶された発光制御情報に基づいて、予め定められた発光態様で発光部４４が発光するように、駆動部４５ｄに発光部４４を駆動させる。
【００９０】
上記の場合、発光制御部４５ｂは、タイマ４５ｃが計時している時刻が所定時刻に関連付けられた所定期間内の時刻であるときに、予め定められた発光態様で発光部４４が発光するように、駆動部４５ｄに発光部４４を駆動させてもよい。
【００９１】
上記の構成によれば、電球４の発光態様とその発光態様を実現する期間とを関連付けて制御することができる。そのため、照明器具本体３２を交換することなく、照明器具３に目覚まし照明のための機能を持たせることができる。
【００９２】
（２）  無線情報は、所定時刻の情報および発光部４４を予め定められた発光態様で発光させることを指示する発光態様指示情報を含んでいてもよい。この場合、制御部４５は、無線情報受信部４５ａ、タイマ４５ｃ、駆動部４５ｄ、および発光制御部４５ｂを含んでいる。無線情報受信部４５ａは、アンテナ部４６で受信された無線情報から所定時刻の情報および発光態様指示情報を抽出する。タイマ４５ｃは、時刻を計時する。駆動部４５ｄは、発光部４４を駆動する。発光制御部４５ｂは、無線情報受信部４５ａによって抽出された発光態様指示情報に基づいて、駆動部４５ｄに発光部４４を駆動させる。
【００９３】
上記の場合、発光制御部４５ｂは、タイマ４５ｃが計時している時刻が所定時刻に関連付けられた所定期間内の時刻であるときに、予め定められた発光態様で発光部４４が発光するように、駆動部４５ｄに発光部４４を駆動させてもよい。
【００９４】
上記の構成によれば、電球４の発光態様とその発光態様を実現する期間とを関連付けて制御することができる。そのため、照明器具本体３２を交換することなく、照明器具３に目覚まし照明のための機能を持たせることができる。
【００９５】
（３）  予め定められた態様は、前述の所定期間において、発光部４４の明るさと発光部４４の色とが予め定められた対応関係で変化する発光態様であってもよい。これによれば、使用者が快適に感じるであろうと推定される明るさと色との対応関係を維持しながら、電球４が発する光の明るさおよび色を変化させることができる。
【００９６】
（４）  予め定められた発光態様は、前述の所定期間において、発光部４４が発する光の明るさ（輝度）が徐々に増加する発光態様であってもよい。
【００９７】
上記の構成によれば、使用者の周辺環境を暗い状態から明るい状態へ徐々に変化させることができる。そのため、起床前の使用者に明るさの急激な変化によって不快感を与えることが抑制される。
【００９８】
（５）  予め定められた発光態様は、前述の所定期間において、発光部４４が発する光の色温度が徐々に高くなる発光態様であってもよい。この構成によれば、起床前の使用者の周辺環境を夜が明けるときの自然環境に近づけることができる。
【００９９】
（６）  発光制御部４５ｂは、照明器具本体３２のＯＮ／ＯＦＦスイッチがＯＮ状態であることを検出している場合に、アンテナ部４６が無線情報を受信すると、その無線情報に基づいて発光部４４の発光態様を制御してもよい。この無線情報に基づいて発光部４４の発光態様を制御しているときに、照明器具本体３２のＯＮ／ＯＦＦスイッチがＯＮ状態からＯＦＦ状態を経てＯＮ状態へ戻されたことを検出する場合がある。この場合には、無線情報に基づく発光部４４の制御を実行することなく、発光部４４を一定の発光態様で発光させることが望ましい。
【０１００】
上記の構成によれば、照明器具本体３２のＯＮ／ＯＦＦスイッチのＯＮ／ＯＦＦ操作により、端末機２からの無線情報に基づく電球４の発光態様の制御を中止することができる。
【０１０１】
（７）  実施の形態の電球制御セットは、上記の（１）〜（６）のいずれかに記載の電球４と、電球４へ前記無線情報を送信する端末機２と、を備えている。これによれば、照明器具本体３２を交換することなく、照明器具３に目覚まし機能を持たせることができる。
【０１０２】
（８）  実施の形態の電球制御プログラムは、端末機２のコンピュータにおいて用いられる電球制御プログラムである。端末機２は、入力部２２〜２７、表示部２１、アンテナ部２８、および音発生部２９を備えている。
【０１０３】
入力部２２〜２７は、使用者の操作によって情報を入力するためのものである。表示部２１は、入力部２２〜２７の操作によって入力された情報が表示される。アンテナ部２８は、情報を無線情報として送信する。音発生部２９は、アラーム音を発生させる。
【０１０４】
実施の形態の電球制御プログラムは、コンピュータを、表示／入力制御部２０ａ、タイマ２０ｂ、駆動部２９ａ、および無線情報送信部２８ａとして機能させる。表示／入力制御部２０ａは、入力部２２〜２７の操作によって入力された所定時刻の情報を表示部２１に表示させる。タイマ２０ｂは、時刻を計時する。タイマ２０ｂによって計時されている時刻が所定時刻になった場合に、駆動部２９ａは、表示／入力制御部２０ａによって制御されて、音発生部２９にアラーム音を発生させる。無線情報送信部２８ａは、上記の（１）〜（７）のいずれかに記載の電球４の無線情報受信部４５ａが無線情報から所定時刻の情報を抽出可能な態様で、所定時刻の情報を、アンテナ部２８から送信する。
【０１０５】
上記の構成によれば、上記の（１）〜（７）のいずれかに記載の電球４を制御することができる。
【０１０６】
（９）  実施の形態の電球制御プログラムは、端末機２のコンピュータにおいて用いられる電球制御プログラムである。端末機２は、入力部２２〜２７、表示部２１、およびアンテナ部２８を備えている。
【０１０７】
入力部２２〜２７は、使用者の操作によって情報を入力するためのものである。表示部２１は、入力部２２〜２７の操作によって入力された情報が表示される。アンテナ部２８は、情報を無線情報として送信する。
【０１０８】
実施の形態の電球制御プログラムは、コンピュータを、表示／入力制御部２０ａおよび無線情報送信部２８ａとして機能させる。表示／入力制御部２０ａは、入力部２２〜２７の操作によって入力された所定時刻の情報を表示部２１に表示させる。無線情報送信部２８ａは、上記の（１）〜（７）のいずれかに記載の電球４の無線情報受信部４５ａが無線情報から所定時刻の情報を抽出可能な態様で、所定時刻の情報を、アンテナ部２８から送信する。
【０１０９】
上記の構成によれば、上記の（１）〜（７）のいずれかに記載の電球４を制御することができる。
【符号の説明】
【０１１０】
２  端末機
３  照明器具
４  電球
２０ａ  表示／入力制御部
２０ｂ  タイマ
２１  表示部
２２〜２７  入力部
２８  アンテナ部
２８ａ  無線情報送信部
２９  音発生部
２９ａ  駆動部
３２  照明器具本体
４１  口金部
４４  発光部
４５  制御部
４５ａ  無線情報受信部
４５ｂ  発光制御部
４５ｃ  タイマ
４５ｄ  駆動部
４５ｅ  記憶部
４６  アンテナ部
【図１】
2016100124.tif 000003
【図２】
2016100124.tif 000004
【図３】
2016100124.tif 000005
【図４】
2016100124.tif 000006
【図５】
2016100124.tif 000007
【図６】
2016100124.tif 000008
【図７】
2016100124.tif 000009
【図８】
2016100124.tif 000010
【図９】
2016100124.tif 000011